(57)【要約】【課題】  撮影者にとって使いやすい記録再生装置を提供できるようにする。【解決手段】  画像ファイルを収容するためのフォルダを記録媒体に作成するフォルダ作成手段と、前記フォルダ内に収容する画像ファイルに係わる情報を設定するファイル情報設定手段と、撮影目的に応じたフォルダを選択するフォルダ選択手段と、前記選択されたフォルダに設定されているファイル情報を読み取るファイル情報読み取り手段と、前記読み取られたファイル情報を前記画像ファイル作成用のパラメータ値として、画像信号を処理するための処理回路に設定するパラメータ値設定手段と、前記パラメータ値設定手段によって設定されたパラメータ値に応じて映像信号の符号化処理を行う映像信号符号化手段と、前記映像信号符号化手段によって処理された符号化データを、前記フォルダ選択手段によって選択されたフォルダに記録する符号化データ記録手段とを設ける。【選択図】  図１
2006033634.tif 000002
【特許請求の範囲】
【請求項１】
記録媒体上に作成された複数のフォルダの中から任意のフォルダを選択するフォルダ選択手段と、
入力された画像信号を処理する画像処理手段と、
前記画像処理手段から出力された画像信号を前記記録媒体に記録する記録手段と、
前記複数のフォルダに対してそれぞれ予め設定された処理パラメータ値のうち、前記選択手段により選択されたフォルダの処理パラメータ値に基づいて前記画像信号を処理するよう前記画像処理手段を制御すると共に、前記処理された画像信号を前記選択されたフォルダに格納して記録するよう前記記録手段を制御する制御手段とを備えることを特徴とする記録装置。
【請求項２】
前記画像処理手段は、前記画像信号を符号化する符号化手段を有し、前記処理パラメータは前記符号化手段により符号化される画像信号の情報量であることを特徴とする請求項１に記載の記録装置。
【請求項３】
前記処理パラメータは前記画像信号に係る画像のサイズであることを特徴とする請求項１に記載の記録装置。
【請求項４】
前記画像処理手段は、前記フォルダに収容する画像の撮影目的に対応したアプリケーションを複数有し、前記フォルダの選択に応じて前記複数のアプリケーションの中から撮影目的に適したアプリケーションを起動することを特徴とする請求項１に記載の記録装置。
【請求項５】
前記フォルダは、撮影目的に連動して作成されていることを特徴とする請求項１に記載の記録装置。
【請求項６】
前記撮影目的の一つは、電子メール用または印刷用の何れかであることを特徴とする請求項４に記載の記録装置。
【請求項７】
前記パラメータ値は、ビットレート情報または画像サイズ情報であることを特徴とする請求項１〜５の何れか１項に記載の記録装置。
【請求項８】
前記記録媒体の所定の領域に所定のパラメータ値情報が記録されていないことを判断する判断手段を有し、前記判断手段によりパラメータ値が記録されていないと判断された際に、前記パラメータ値情報に相当するパラメータ値情報を設定することを特徴とする請求項１〜７の何れか１項に記載の記録装置。
【請求項９】
前記記録媒体は、光ディスクであることを特徴とする請求項１〜８の何れか１項に記載の記録装置。
【請求項１０】
前記記録媒体は、半導体の外部メモリであることを特徴とする請求項１〜８の何れか１項に記載の記録装置。
【請求項１１】
画像信号を含む画像ファイルを格納するための複数のフォルダを記録媒体上に作成するフォルダ作成手段と、
前記複数のフォルダに対し、各フォルダに格納される画像信号を処理するための処理パラメータ値を設定する設定手段と、
前記設定手段により設定されたパラメータ値を示す制御情報を前記記録媒体に記録する記録手段とを備えることを特徴とする記録装置。
【請求項１２】
前記処理パラメータは前記画像信号の符号化処理に関するパラメータであることを特徴とする請求項１１に記載の記録装置。
【請求項１３】
前記設定手段は、前記画像信号の情報量を前記パラメータ値として設定することを特徴とする請求項１１に記載の記録装置。
【請求項１４】
前記設定手段は、前記画像信号に係る画像のサイズを前記パラメータ値として設定することを特徴とする請求項１１に記載の記録装置。
【請求項１５】
前記フォルダは、前記画像信号の撮影目的に応じて作成されていることを特徴とする請求項１１に記載の記録装置。
【請求項１６】
記録媒体上に作成された複数のフォルダの中から再生目的のフォルダを指定するフォルダ指定手段と、
前記フォルダ指定手段により指定されたフォルダに設定されているファイル情報を読み取るファイル情報読み取り手段と、
前記ファイル情報読み取り手段により読み取られたファイル情報に応じて、複数のアプリケーションの中から撮影目的に適したアプリケーションを起動するアプリケーション起動手段と、
前記フォルダ指定手段により指定されたフォルダに収容されている情報データを読み出して再生する画像再生手段とを有することを特徴とする再生装置。
【請求項１７】
記録媒体上に作成された複数のフォルダに対応して設けられた複数のアプリケーションの中から、ユーザに指定された所定のアプリケーションを起動するアプリケーション起動手段と、
前記アプリケーション起動手段によって起動されたアプリケーションに関連するパラメータ情報を有するフォルダを選択するフォルダ選択手段と、
前記フォルダ選択手段により選択されたフォルダに収容されている符号化データを読み出して再生する画像再生手段とを有することを特徴とする再生装置。
【請求項１８】
前記請求項１〜１５の何れか１項に記録装置と、前記請求項１６または１７に記載の再生装置とを有することを特徴とする記録再生装置。
【請求項１９】
記録媒体上に作成された複数のフォルダの中から任意のフォルダを選択するフォルダ選択工程と、
入力された画像信号を処理する画像処理工程と、
前記画像処理工程から出力された画像信号を前記記録媒体に記録する記録工程と、
前記複数のフォルダに対してそれぞれ予め設定された処理パラメータ値のうち、前記フォルダ選択工程により選択されたフォルダの処理パラメータ値に基づいて前記画像信号を処理するよう前記画像処理工程を制御すると共に、前記処理された画像信号を前記選択されたフォルダに格納して記録するよう前記記録工程を制御する制御工程とを有することを特徴とする記録方法。
【請求項２０】
記録媒体上に作成された複数のフォルダの中から再生目的のフォルダを指定するフォルダ指定工程と、
前記フォルダ指定工程により指定されたフォルダに設定されているファイル情報を読み取るファイル情報読み取り工程と、
前記ファイル情報読み取り工程により読み取られたファイル情報に応じて、複数のアプリケーションの中から撮影目的に適したアプリケーションを起動するアプリケーション起動工程と、
前記フォルダ指定工程により指定されたフォルダに収容されている情報データを読み出して再生する画像再生工程とを有することを特徴とする再生方法。
【請求項２１】
記録媒体上に作成された複数のフォルダに対応して設けられた複数のアプリケーションの中から、ユーザに指定された所定のアプリケーションを起動するアプリケーション起動工程と、
前記アプリケーション起動工程によって起動されたアプリケーションに関連するパラメータ情報を有するフォルダを選択するフォルダ選択工程と、
前記フォルダ選択工程により選択されたフォルダに収容されている符号化データを読み出して再生する画像再生工程とを有することを特徴とする再生方法。
【請求項２２】
記録媒体上に作成された複数のフォルダの中から任意のフォルダを選択するフォルダ選択工程と、
入力された画像信号を処理する画像処理工程と、
前記画像処理工程から出力された画像信号を前記記録媒体に記録する記録工程と、
前記複数のフォルダに対してそれぞれ予め設定された処理パラメータ値のうち、前記フォルダ選択工程により選択されたフォルダの処理パラメータ値に基づいて前記画像信号を処理するよう前記画像処理工程を制御すると共に、前記処理された画像信号を前記選択されたフォルダに格納して記録するよう前記記録工程を制御する制御工程とを有する記録方法をコンピュータに実行させることを特徴とするコンピュータプログラム。
【請求項２３】
記録媒体上に作成された複数のフォルダの中から再生目的のフォルダを指定するフォルダ指定工程と、
前記フォルダ指定工程により指定されたフォルダに設定されているファイル情報を読み取るファイル情報読み取り工程と、
前記ファイル情報読み取り工程により読み取られたファイル情報に応じて、複数のアプリケーションの中から撮影目的に適したアプリケーションを起動するアプリケーション起動工程と、
前記フォルダ指定工程により指定されたフォルダに収容されている情報データを読み出して再生する画像再生工程とを有する再生方法をコンピュータに実行させることを特徴とするコンピュータプログラム。
【請求項２４】
記録媒体上に作成された複数のフォルダに対応して設けられた複数のアプリケーションの中から、ユーザに指定された所定のアプリケーションを起動するアプリケーション起動工程と、
前記アプリケーション起動工程によって起動されたアプリケーションに関連するパラメータ情報を有するフォルダを選択するフォルダ選択工程と、
前記フォルダ選択工程により選択されたフォルダに収容されている符号化データを読み出して再生する画像再生工程とを有する再生方法をコンピュータに実行させることを特徴とするコンピュータプログラム。
【請求項２５】
前記請求項２２〜２４の何れか１項にコンピュータプログラムを記録したことを特徴とする記録媒体。
【発明の詳細な説明】
【技術分野】
【０００１】
本発明は記録装置、再生装置及び記録再生装置に関し、例えばＤＶＤを始めとした光ディスクなどのランダムアクセスが可能な記録媒体をもつディジタルビデオカメラ等における信号を記録再生する手法に関するものである。
【背景技術】
【０００２】
従来、光ディスクなどのランダムアクセス可能な記録媒体に対して画像信号や音声信号を記録する装置では、テープなどのランダムアクセス不可能な記録媒体とは異なり、映像音声信号をジャンルなどのフォルダに分けて記録することが可能である。
【０００３】
例えば、スポーツのシーンならばスポーツフォルダに記録することで、スポーツのシーンだけを再生したい時に有効利用できる。また、同じジャンルでも、例えばＤＶＤレコーダで２本以上のドラマを記録したいとき、第１のドラマＡと第２のドラマＢという２つのフォルダを作成しておき、第１のドラマＡは第１のドラマＡフォルダに記録し、第２のドラマＢは第２のドラマＢフォルダに記録することで、簡単な操作で各々のドラマのストーリーを鑑賞することができるようになる。このように、記録データを複数のグループに自動分類して管理する技術が、例えば特許文献１に開示されている。
【０００４】
【特許文献１】特開２００１−５４０５２号公報
【発明の開示】
【発明が解決しようとする課題】
【０００５】
しかしながら、前記のようにドラマといったジャンルでフォルダ分けするだけでは再生時の検索性などを考えると好適な手法とはいえない。特に、モバイル型の記録再生装置で撮影した画像を電子メールで転送したい時を考えると、１枚の画像に対して、１つ以上の複数の設定（画像サイズ、符号量、フレームレートなど）を行っていると、決定的なシャッターチャンスを逃すことにもなる。また、その撮影した画像が別々のフォルダに存在すると、再生するときに、撮影者にとっての負担が大きくなる問題点があった。
【０００６】
本発明は、前述の問題点にかんがみ、撮影者にとって使いやすい記録装置を提供することを第１の目的としている。
また、撮影者にとって使いやすい再生装置を提供することを第２の目的としている。
さらに、撮影者にとって使いやすい記録再生装置を提供することを第３の目的としている。
【課題を解決するための手段】
【０００７】
本発明の記録装置は、記録媒体上に作成された複数のフォルダの中から任意のフォルダを選択するフォルダ選択手段と、入力された画像信号を処理する画像処理手段と、前記画像処理手段から出力された画像信号を前記記録媒体に記録する記録手段と、前記複数のフォルダに対してそれぞれ予め設定された処理パラメータ値のうち、前記選択手段により選択されたフォルダの処理パラメータ値に基づいて前記画像信号を処理するよう前記画像処理手段を制御すると共に、前記処理された画像信号を前記選択されたフォルダに格納して記録するよう前記記録手段を制御する制御手段とを備えることを特徴としている。
【０００８】
本発明の再生装置は、記録媒体上に作成された複数のフォルダの中から再生目的のフォルダを指定するフォルダ指定手段と、前記フォルダ指定手段により指定されたフォルダに設定されているファイル情報を読み取るファイル情報読み取り手段と、前記ファイル情報読み取り手段により読み取られたファイル情報に応じて、複数のアプリケーションの中から撮影目的に適したアプリケーションを起動するアプリケーション起動手段と、前記フォルダ指定手段により指定されたフォルダに収容されている情報データを読み出して再生する画像再生手段とを有することを特徴としている。
また、本発明の再生装置の他の特徴とするところは、記録媒体上に作成された複数のフォルダに対応して設けられた複数のアプリケーションの中から、ユーザに指定された所定のアプリケーションを起動するアプリケーション起動手段と、前記アプリケーション起動手段によって起動されたアプリケーションに関連するパラメータ情報を有するフォルダを選択するフォルダ選択手段と、前記フォルダ選択手段により選択されたフォルダに収容されている符号化データを読み出して再生する画像再生手段とを有することを特徴としている。
【０００９】
本発明の記録再生装置は前記の何れかに記録装置と、前記に記載の再生装置とを有することを特徴としている。
【００１０】
本発明の記録方法は、記録媒体上に作成された複数のフォルダの中から任意のフォルダを選択するフォルダ選択工程と、入力された画像信号を処理する画像処理工程と、前記画像処理工程から出力された画像信号を前記記録媒体に記録する記録工程と、前記複数のフォルダに対してそれぞれ予め設定された処理パラメータ値のうち、前記フォルダ選択工程により選択されたフォルダの処理パラメータ値に基づいて前記画像信号を処理するよう前記画像処理工程を制御すると共に、前記処理された画像信号を前記選択されたフォルダに格納して記録するよう前記記録工程を制御する制御工程とを有することを特徴としている。
【００１１】
本発明の再生方法は、記録媒体上に作成された複数のフォルダの中から再生目的のフォルダを指定するフォルダ指定工程と、前記フォルダ指定工程により指定されたフォルダに設定されているファイル情報を読み取るファイル情報読み取り工程と、前記ファイル情報読み取り工程により読み取られたファイル情報に応じて、複数のアプリケーションの中から撮影目的に適したアプリケーションを起動するアプリケーション起動工程と、前記フォルダ指定工程により指定されたフォルダに収容されている情報データを読み出して再生する画像再生工程とを有することを特徴としている。
また、本発明の再生方法の他の特徴とするところは、記録媒体上に作成された複数のフォルダに対応して設けられた複数のアプリケーションの中から、ユーザに指定された所定のアプリケーションを起動するアプリケーション起動工程と、前記アプリケーション起動工程によって起動されたアプリケーションに関連するパラメータ情報を有するフォルダを選択するフォルダ選択工程と、前記フォルダ選択工程により選択されたフォルダに収容されている符号化データを読み出して再生する画像再生工程とを有することを特徴としている。
【００１２】
本発明のコンピュータプログラムは、記録媒体上に作成された複数のフォルダの中から任意のフォルダを選択するフォルダ選択工程と、入力された画像信号を処理する画像処理工程と、前記画像処理工程から出力された画像信号を前記記録媒体に記録する記録工程と、前記複数のフォルダに対してそれぞれ予め設定された処理パラメータ値のうち、前記フォルダ選択工程により選択されたフォルダの処理パラメータ値に基づいて前記画像信号を処理するよう前記画像処理工程を制御すると共に、前記処理された画像信号を前記選択されたフォルダに格納して記録するよう前記記録工程を制御する制御工程とを有する記録方法をコンピュータに実行させることを特徴としている。
また、本発明のコンピュータプログラムの他の特徴とするところは、記録媒体上に作成された複数のフォルダの中から再生目的のフォルダを指定するフォルダ指定工程と、前記フォルダ指定工程により指定されたフォルダに設定されているファイル情報を読み取るファイル情報読み取り工程と、前記ファイル情報読み取り工程により読み取られたファイル情報に応じて、複数のアプリケーションの中から撮影目的に適したアプリケーションを起動するアプリケーション起動工程と、前記フォルダ指定工程により指定されたフォルダに収容されている情報データを読み出して再生する画像再生工程とを有する再生方法をコンピュータに実行させることを特徴としている。
また、本発明のコンピュータプログラムのその他の特徴とするところは、記録媒体上に作成された複数のフォルダに対応して設けられた複数のアプリケーションの中から、ユーザに指定された所定のアプリケーションを起動するアプリケーション起動工程と、前記アプリケーション起動工程によって起動されたアプリケーションに関連するパラメータ情報を有するフォルダを選択するフォルダ選択工程と、前記フォルダ選択工程により選択されたフォルダに収容されている符号化データを読み出して再生する画像再生工程とを有する再生方法をコンピュータに実行させることを特徴としている。
【００１３】
本発明の記録媒体は、前記の何れかに記載のコンピュータプログラムを記録したことを特徴としている。
【発明の効果】
【００１４】
本発明によれば、フォルダを選択するだけで、画像信号の格納先と処理パラメータを設定することができ、画像を記録する際の操作性を向上させることができる。
【００１５】
また、画像を再生する場合には、前記画像を再生しようとするフォルダに設定された情報を用いて画像を再生することができ、画像を再生する際の操作性を向上させることができる。
【発明を実施するための最良の形態】
【００１６】
（第１の実施の形態）
以下、本発明の第１の実施の形態を図面を参照しながら説明する。
図１は、第１の実施形態における記録再生装置へのモード設定を説明する図であり、図２はモード設定手順の一例を示すフローチャートであり、図３及び図４は本実施の形態の記録再生装置を説明するための図である。第１の実施の形態は、例えばディジタルビデオカメラなどで映像音声信号を記録するのに好適な例である。また状況としては、撮影者が旅行を行ったときを想定するものとする。
【００１７】
図１において、１０１はパーソナルコンピュータであり、１０２、１０３は記録媒体であり、１０２が本記録再生装置の外にある時の記録媒体を示し、１０３が本記録再生装置内部に挿入されたときの記録媒体を示すが、中身は同一の物体である。
【００１８】
１０４は再生回路であり、１０５は再生回路１０４により再生された記録媒体１０３のフォルダ構成などを管理するための管理情報に基づき、後述の如く設定された複数のフォルダ及び各フォルダに対応付けて記録された処理パラメータ値の情報を検出する第１のフォルダ選択部である。１０６は記録媒体１０３に記録されているフォルダの構成とは無関係にフォルダ構成を設定する第２のフォルダ選択部である。また、１０７は第１のフォルダ選択部１０５と第２のフォルダ選択部１０６とを切り替えるスイッチ回路である。
【００１９】
第２のフォルダ選択部１０６を選択した場合、所定のデフォルトフォルダに信号を記録する。１０８は図示しないディジタルビデオカメラに具備されているＣＣＤからの入力映像信号を符号化する映像信号符号化回路であり、１０９はＣＣＤと同様に図示しないマイクからの音声入力信号を符号化する音声信号符号化回路である。
【００２０】
１１０はディジタルビデオカメラに具備されているファインダなどの表示部であり、１１１は、映像信号符号化回路１０８で符号化された映像符号化信号と音声信号符号化回路１０９により得られた音声符号化信号をそれぞれ所定量のブロック（パケット）に分割し、ブロック毎に多重して映像音声信号列を生成する多重化回路である。１１２はシステムコントローラであり、再生回路１０４、映像信号符号化回路１０８、音声信号符号化回路１０９、多重化回路１１１、表示部１１０、ならびにシステム全体を制御するためのものである。
【００２１】
次に、本実施の形態の記録再生装置の動作例を図２Ａ〜図２Ｃのフローチャートに沿い、かつ図３を併用して説明する。
始めに、撮影目的に応じたフォルダ分けと、それに連動するパラメータの設定について説明する。
撮影者は、記録媒体１０２に対して撮影目的情報と、それに連動する画質情報、画像サイズ情報などの設定を行う。設定方法はパーソナルコンピュータ上のアプリケーションならびに記録再生装置自体で行う。また、このときの設定の一例を図３に示す。
【００２２】
図３において、３０１が撮影目的情報であり、３０２が画質（符号量）情報であり、３０３が画像サイズ情報であり、３０４が動作情報である。また、静止画像と動画像の記録フォルダはＤＣＦ（design rule for camera file system）フォーマットの関係上、あらかじめ別々のフォルダとして存在するものとする。以下に、静止画像を例にとり説明する。
【００２３】
撮影目的情報３０１をＰＣメール用としてフォルダを作成すると、ＰＣメールでは回線の帯域に差はあるものの小さいサイズでの送信が好まれる。よって、画質は若干粗め、画像サイズはＣＩＦ（Common Intermediate Format）サイズのように設定する。さらに、各撮影目的に応じて動作パラメータも設定可能であり、再生時に有効利用できるものである。動作パラメータ値に応じたアプリケーションについて説明する。
【００２４】
動作情報３０４が「ＰＬＡＹ」という動作パラメータであれば、記録再生装置での再生動作を関連付ける。また、「ＭＡＬＥ」という動作パラメータであれば、記録再生装置に内蔵された通信機能を用いてメール送信を行うアプリケーションの起動動作を関連付ける。さらに、「ＰＲＩＮＴ」という動作パラメータであれば、ダイレクトプリント用のアプリケーションの起動動作を関連付ける。なお、これらの値は撮影者が任意に設定できるものであり図３は一例である。
【００２５】
図３においては、ＰＣメール用の他にＰＣ保存用、携帯メール用、印刷用を例に出しているが、これら以外のフォルダを作成するのは撮影者の自由である。また、現段階では撮影目的情報が明確でないものや予期せぬ撮影場面に出くわしたときのためのフリーフォルダなどが予め用意されており、その画質、画像サイズは一般的な値であり、動作はＰＬＡＹがセットされているものとする。
【００２６】
このとき、撮影目的情報３０１などは、所定の記録領域でさらに、記録媒体の管理情報などの重要な情報が記録されていない領域に記録しなければならない。さらに、所定の記録領域に何らかの映像音声信号が既に記録されていた場合には、その記録領域に前記情報を記録する前に信号の上書きを確認する警告を出力する。そして、その警告に対して、撮影者が許可を出せば前記情報を記録媒体に記録し、許可を出さなければ前記情報を記録しないようにする。
【００２７】
次に、記録時の動作について図２Ａのフローチャートを用いて説明する。
図２Ａは、第１のフォルダ選択部１０５を選択することで、前述の如く記録媒体１０３上に予め記録されたフォルダをユーザが選択して記録を行う場合の処理である。この場合、システムコントローラ１１２は第１のフォルダ選択部１０５により検出された各フォルダ及び各フォルダに対して設定された処理パラメータ値を読み出し、内部のレジスタに格納している。
そして、ステップＳ２１１において、撮影者は記録再生装置に具備されているフォルダ選択つまみ（メニュー）を用いて、記録媒体１０３に記録された複数のフォルダの中から撮影目的に応じたフォルダを選択する。なお、メニューの操作については後述する。
【００２８】
次に、ステップＳ２１２において、システムコントローラ１１２は選択されたフォルダに対して設定されたパラメータ値を映像信号符号化回路１０８にセットする。前述したように、ＰＣメールフォルダを選択した時、それに連動して画質、画像サイズなどの符号化パラメータ値が映像信号符号化回路１０８にセットされる。
【００２９】
次に、ステップＳ２１３において、撮影者が記録を開始すると、記録再生装置にセットされた符号化パラメータ値に従い、映像信号符号化回路１０８が画像の符号化を行う。
次に、ステップＳ２１４において、映像信号符号化回路１０８で符号化された画像は、撮影者が選択した撮影目的に応じたフォルダに記録される。
【００３０】
次に、再生時の動作について説明する。本実施の形態の記録再生装置においては、再生手法は２種類ある。まず、一つ目の再生手法を図２Ｂのフローチャートを用いて説明する。
最初のステップＳ２２１において、撮影者は記録再生装置に具備されているフォルダ選択つまみ（メニュー）を用いて、撮影目的に応じて撮影した任意のフォルダを選択する。
次に、ステップＳ２２２において、フォルダに付与したパラメータのうち、動作パラメータを読み出す。
【００３１】
次に、ステップＳ２２３において、動作に応じたアプリケーションを起動する。例えば、ＰＣメールフォルダを選択した場合には、図３のように撮影目的フォルダがＰＣメールに対して、ＭＡＬＥが付与されているので、メール送信アプリケーションが起動して符号化されている画像データを復号することになる。
【００３２】
次に、二つ目の再生手法を図２Ｃのフローチャートを用いて説明する。
最初にステップＳ２３１において、撮影者は記録再生装置に内蔵された任意のアプリケーションを起動する。
次に、ステップＳ２３２において、任意のアプリケーションに応じた動作パラメータを持つフォルダを開く。
ステップＳ２３３において、開かれたフォルダに存在するデータに対してアプリケーションを実行する。例えば、ダイレクトプリントのアプリケーションを起動すると、ダイレクトプリントに応じた動作パラメータである「ＰＲＩＮＴ」をパラメータに持つフォルダが自動的に開かれ、符号化された画像データが復号され、撮影者はフォルダ内の画像データに対してダイレクトプリントを行うことができる。なお、前記説明では静止画像について述べたが、動画像についても同様のことを行うことができる。
【００３３】
次に、表示部１１０について、図４及び図５を用いて説明する。
図４は、本記録再生装置に具備されている撮影目的フォルダ選択つまみの一例を示す図である。また、図５はファインダである表示部１１０の一例を示す図であり、５０１が表示部１１０に映し出されたフォルダ選択つまみのアニメーションである。フォルダの数に規定はないが、つまみの操作性を考慮した数が妥当である。
【００３４】
記録媒体１０３に撮影目的フォルダ情報などが場合、アニメーション５０１は撮影者が記録媒体１０３に設定したフォルダ名が表示される。このフォルダ名は図３に示すものと同一である。
【００３５】
撮影者が例えば、携帯メール用のフォルダを選択すると、アニメーション５０１における携帯メール用フォルダが色づけされ、メッセージ５０２には、現在選択しているフォルダ名と、そのフォルダに連動して設定された情報での撮影可能枚数ならびに撮影可能時間などが表示される。
【００３６】
記録媒体１０３にフォルダ情報などが存在しなかった場合、第２のフォルダ選択部１０６による第２の記録モード情報に応じたアニメーションやメッセージを表示する。また、フォルダ分けを行っていないならばこのようなアニメーションやメッセージは表示しないものとする。
【００３７】
以上、本実施の形態で触れていないパラメータ情報を関連付けても良い。さらに、フォルダ間にも関連付けを行っても良い。例えば、ＰＣメール用フォルダと携帯メール用フォルダに関連をつけておき、撮影者がＰＣメール用フォルダを選択した時、ＰＣメール用フォルダに設定したパラメータでは記録可能時間が少ないなどといった場合、表示部１１０に関連のあるフォルダでの記録可能時間などの情報を表示し、関連のあるフォルダへの切り替えを行うことができる。
【００３８】
また、ＰＣメール用フォルダ内の撮影枚数が多くなりすぎた場合、表示部１１０に関連のあるフォルダでの記録可能時間などの情報を表示し、関連のあるフォルダへの切り替えを行うこともできる。
また、本形態では、図３に示した様に主に符号化処理のパラメータ値をフォルダに対応して設定したが、符号化処理に限らず、他の映像信号処理や音声信号処理に関するパラメータ値を設定することも可能である。
【００３９】
（本発明に係る他の実施の形態）
前述した本発明の実施の形態における記録装置及び再生装置を構成する各手段、及び記録方法及び再生方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００４０】
すなわち、フォルダ作成手段、ファイル情報設定手段、フォルダ選択手段、ファイル情報読み取り手段、パラメータ値設定手段、映像信号符号化手段、符号化データ記録手段、フォルダ指定手段、アプリケーション起動手段、符号化データ読み出し手段及び画像再生手段等が構成される。
【００４１】
また、フォルダ作成工程、ファイル情報設定工程、フォルダ選択工程、ファイル情報読み取り工程、パラメータ値設定工程、映像信号符号化工程、符号化データ記録工程、フォルダ指定工程、アプリケーション起動工程、符号化データ読み出し工程及び画像再生工程等が実行される。
【００４２】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００４３】
また、コンピュータが供給されたプログラムを実行することにより前述した実施の形態における各機能が実現されるだけでなく、そのプログラムがコンピュータにおいて稼働しているＯＳ（オペレーティングシステム）或いは他のアプリケーションソフト等と共同して前述した実施の形態の各機能が実現される場合や、供給されたプログラムの処理の全て或いは一部がコンピュータの機能拡張ボードや機能拡張ユニットにより行われて前述した実施の形態における各機能が実現される場合も、かかるプログラムは本発明に含まれる。
【図面の簡単な説明】
【００４４】
【図１】本発明の第１の実施形態に係る記録再生装置を説明する図である。
【図２Ａ】本発明の第１の実施形態に係る記録再生装置の記録・再生動作の記録時の動作について説明するためのフローチャートである。
【図２Ｂ】本発明の第１の実施形態に係る記録再生装置の記録・再生動作の一つ目の再生手法について説明するためのフローチャートである。
【図２Ｃ】本発明の第１の実施形態に係る記録再生装置の記録・再生動作の二つ目の再生手法について説明するためのフローチャートである。
【図３】本発明の第１の実施形態において、撮影目的に応じたパラメータの一例を示す図である。
【図４】本発明の第１の実施形態において、フォルダを選択するつまみの一例を示す図である。
【図５】本発明の第１の実施形態において、表示部の一例を示した図である。
【符号の説明】
【００４５】
１０１  パーソナルコンピュータ
１０２  記録媒体
１０３  記録媒体
１０４  再生回路
１０５  第１のフォルダ選択部
１０６  第２のフォルダ選択部
１０７  スイッチ
１０８  映像信号符号化回路
１０９  音声信号符号化回路
１１０  表示部
１１１  多重化回路
１１２  システムコントローラ
【図１】
2006033634.tif 000003
【図２Ａ】
2006033634.tif 000004
【図２Ｂ】
2006033634.tif 000005
【図２Ｃ】
2006033634.tif 000006
【図３】
2006033634.tif 000007
【図４】
2006033634.tif 000008
【図５】
2006033634.tif 000009